(57)【要約】【課題】下面から照射される光の屈折に異物感が発生しにくく、しかも固定枠から宝石が外れにくい上、固定枠への宝石の組み付け作業を迅速かつ正確に行なうことができる宝石の取付構造を提供しようとするものである。【解決手段】宝石の下面にレーザ切削装置を用いて環状の切込み溝を形成し、この切込み溝に対応する輪郭の筒状の固定枠の上端部を前記環状の切込み溝内へかしめて、固定枠を宝石に固定するようにしたことを特徴とする宝石の取付構造。【選択図】  図１
2005211547.tif 000002
【特許請求の範囲】
【請求項１】
宝石の下面にレーザ切削装置を用いて環状の切込み溝を形成し、この切込み溝に対応する輪郭の筒状の固定枠の上端部を前記環状の切込み溝内へかしめて、固定枠を宝石に固定するようにしたことを特徴とする宝石の取付構造。
【請求項２】
切込み溝が、横向きのＶ字状断面を有し、その上面は宝石のテーブル面に近い角度に、また下面は所定の角度で傾斜して形成されている請求項１に記載の宝石の取付構造。
【請求項３】
宝石の下面にある環状の切込み溝へ取り付けた固定枠が、宝石の外形よりも小さい輪郭に形成されていることを特徴とする請求項１に記載の宝石の取付構造。
【発明の詳細な説明】
【技術分野】
【０００１】
この発明は、宝石の下面に取り付けた固定枠を上部から見えないように固定することを目的とした宝石の取付構造に関する。
【背景技術】
【０００２】
宝石はその輝きにより装飾用として重用されているが、人体に取り付けるには、固定枠などの台を介してペンダント、イヤリング、ネックレス、指輪などの金具と連結している。そこで従来は、固定枠に立ち上げた爪片を宝石の上面側に折り曲げて掛止固定している。
しかしながら、上記固定枠によれば、宝石の周縁部に常時掛止用の爪片が表われているために、美観を損なうことが避けられないのみならず、宝石の大小に拘らず、爪片は一定の大きさを必要とするので、宝石が小さい程、爪片の面積割合が大きくなり、かつ隠れた面積だけ宝石が小さく見えるなどの問題点があった。
【０００３】
そこで、特開２０００−１３９５２６公報（特許文献１参照）に見られるように、ダイヤモンドの下面の４周に切込み溝を設け、その切込み溝にダイヤモンドの石枠の上端部をかしめて固定する構造が採用されている。
また、特開２０００−１０６９２２公報（特許文献２参照）に見られるように、宝石の下面の周囲に切込み溝を設け、その切込み溝にロストワックス法で鋳造した固定枠の上端部を注入固化させて、固定枠に宝石を固定する構造が採用されている。
【特許文献１】特開２０００−１３９５２６公報
【特許文献２】特開２０００−１０６９２２公報
【発明の開示】
【発明が解決しようとする課題】
【０００４】
しかしながら、前記固定方法の前者のものは、ダイヤモンドの下面の４周に切込み溝をダイヤモンドカッター等で切削して設け、その切込み溝にダイヤモンドの石枠の上端部をかしめて固定するので、ダイヤモンドの下面から照射される光の屈折に異物感が発生したり、組立作業の自動化が難しいなどの問題点があった。
【０００５】
また、前記固定方法の後者のものは、宝石の下面の周囲に切込み溝を設け、その切込み溝にロストワックス法で鋳造した固定枠の上端部を注入固化させて、固定枠に宝石を固定するので、鋳造時の熱で宝石が損なわれたり、鋳造時の欠陥を修正しにくかったり、また鋳造時に切込み溝に貴金属が充分充填されにくく、そのため下面から照射される光の屈折に異物感が発生しやすいなどの問題点があった。
そこでこの発明の目的は、下面から照射される光の屈折に異物感が発生しにくく、しかも固定枠から宝石が外れにくい上、固定枠への宝石の組み付け作業を迅速かつ正確に行なうことができる宝石の取付構造を提供しようとするものである。
【課題を解決するための手段】
【０００６】
この発明は、宝石の上面に爪片を出すことなく、宝石の下面と固定枠の上端部とを掛止させる新規な構造を採用することにより、前記従来の問題点を解決したのである。
【０００７】
すなわちこの発明の宝石の取付構造は、宝石の下面にレーザ切削装置を用いて環状の切込み溝を形成し、この切込み溝に対応する輪郭の筒状の固定枠の上端部を前記環状の切込み溝内へかしめて、固定枠を宝石に固定するようにしたことを特徴とするものである。
【０００８】
またこの発明の宝石の取付構造は、上記切込み溝が、横向きのＶ字状断面を有し、その上面は宝石のテーブル面に近い角度に、また下面は所定の角度で傾斜して形成されていることをも特徴とするものである。
【０００９】
さらに、この発明の宝石の取付構造は、上記宝石の下面にある環状の切込み溝へ取り付けた固定枠が、宝石の外形よりも小さい輪郭に形成されていることをも特徴とするものである。
【発明の効果】
【００１０】
上記固定枠は、金や銀、プラチナなどの貴金属であって、宝石の切込み溝と、固定枠の上端部とはかしめにより容易に密着掛止できるとともに、固定枠は筒状であって、円周方向から宝石を支えるので、安定性が抜群であり、チェインなどに外力が掛っても、掛止部が外れるおそれはない。
【００１１】
また固定枠のかしめ部は、切込み溝の形状に沿って溝に充填される状態となるので、単に屈曲掛止のみでなく、肉厚部でＶ字状の溝の上下に挾着される状態となり、より確実に固定することができる。
【発明を実施するための最良の形態】
【００１２】
以下、この発明の宝石の取付構造を実施するための最良の形態を図面に基づいて詳細に説明する。
図１は宝石と固定枠との関係を示す分解図、図２はその組み付け状態を示す断面図、図３は宝石の切込み溝の加工の状況を示す説明図である。
【００１３】
図１および図２において、１はダイヤモンド等からなる宝石で、上部テーブル１１と、下部パビリオン１２と、テーブル１１とパビリオン１２との間のガードル１３とで構成されている。そして、宝石１の下部パビリオン１２には環状に切込み溝（例えば、ガードル部に隣接したパビリオン１２の周面上で、ガードル１３に沿ってガードル１３と平行に環状に形成された断面が略Ｖ字状のもの）２が穿設されている。上記環状の切込み溝２は、図３に示すように、レーザ（例えば、固体レーザであるＹＡＧレーザ）を用いて、所定の深さ及び幅のＶ字状に精確に形成することができる。図において２１は、レーザ照射部である。
【００１４】
周面に環状の切込み溝２を設けた宝石１は、切込み溝２に対応する輪郭の筒状の固定枠３へはめ込まれて固定される。すなわち、固定枠３の上端に切込み溝２が当接するよう宝石１を搭載し、固定枠３の上端部を前記環状の切込み溝２内へかしめて、固定枠３を宝石１に固定するのである。
なお、宝石１の下面にある環状の切込み溝２へ取り付けた固定枠３は、宝石１の外形よりも小さい輪郭に形成されていることが望ましい。
【００１５】
そして、上記切込み溝２は横向きのＶ字状断面を有し、その上面は宝石１のパビリオン１２の所定位置においてテーブル１１面に近い角度に、また下面は所定の角度で傾斜して形成してある。
このように構成すると、固定枠３の上端部を環状の切込み溝２内へかしめ、固定枠３を宝石１に固定する作業が簡単に行なえる。
【００１６】
以上のように環状の切込み溝２に、宝石１の外形よりも小さい輪郭の固定枠３を取り付けるようにしたので、この実施例によれば、宝石１の上面側からは固定枠３が見えない状態となり、宝石１が全面的に露出し、比較的大きく見えるとともに、全面反射により装飾価値を向上させることができる。
【産業上の利用可能性】
【００１７】
この発明によれば、種々の装身具に適用することができる。例えば、ダイヤモンドやエメラルド、ルビー、オパール、サファイヤ等の宝石類を、金や銀、プラチナ等の貴金属からなる固定枠に保持し、指輪やブレスレット、ネックレス、イヤリング等に用いることが可能である。
またこの発明の適用可能な宝石の形状としては、ブリリアントカットのような円形のみならず、プリンセスカットのような正方形、エメラルドカットやバゲットカットのような長方形、オーバル系カットのような楕円形、ハート型、三角形その他適宜の形状が挙げられる。
【図面の簡単な説明】
【００１８】
【図１】宝石と固定枠との関係を示す分解図である。
【図２】その組み付け状態を示す断面図である。
【図３】宝石の切込み溝の加工の状況を示す説明図である。
【符号の説明】
【００１９】
１ 宝石
２ 切込み溝
３ 固定枠
１１  テーブル
１２  パビリオン
１３  ガードル
２１  レーザ照射部
【図１】
2005211547.tif 000003
【図２】
2005211547.tif 000004
【図３】
2005211547.tif 000005